(57)【要約】【課題】傘袋を傘に常時密着させたまま、傘袋の装着及び、収納保持が傘袋専用の収納袋を必要とせず利用可能とする傘袋。【解決手段】筒状の傘袋１の上下２つの開口部が自由に絞り留め可能となるよう、紐状のもの３と６、紐通し２と５、紐留め器具４と７を有することにより、傘袋１を傘１１の握柄９、石突１０に絞り留めし、傘１１に傘袋１を常時密着保持させることを可能にした。傘１１の石突１０側の開口部にスリットを入れ、傘袋１を捲し上げしやすいようにし、傘１１に傘袋を装着保持した状態で、簡単に傘袋１を捲し上げたり、引き伸ばしたりすることを可能にした。また、捲し上げた傘袋１を最後に裏返し、傘１１の握柄９に絞り留めしている紐状のもの３と紐留め器具４を包み込むように被せ、紐状のもの６を紐留め器具７で絞り留めすることにより、傘袋専用の収納袋を必要とせずに収納保持することを可能にした。【選択図】図6
2009039155.tif 000002
【特許請求の範囲】
【請求項１】
傘袋を常時、傘の握柄部に取り付けた状態で、傘収納時には傘袋の装着を、傘使用時には傘袋の収納保持を可能とする特徴をもつ傘袋。
【請求項２】
傘袋は円筒状で、上下に開口部分があり、その開口部分にはそれぞれ紐状なもので絞る絞り留め口を有し、傘の握柄及び、石突に開口部を絞り留めして密着を可能としたことを特徴とする傘袋。
【請求項３】
傘袋の傘への装着時には、傘の握柄に密着した傘袋収納時の絞り留めした紐状のものを緩め、傘袋を傘本体を包み込みながら傘の石突方向へ引き伸ばし、石突部分のところで傘袋開口部を紐状のもので絞り留めし保持する。傘袋の収納時には、傘の石突に絞り留めした紐状のものを緩め、傘袋を傘の握柄に向けて捲し上げ、傘の握柄のところで傘袋開口部を紐状のもので絞り留めする。傘袋を傘本体を包み込みながら装着し、捲し上げながら収納保持することを特徴とする傘袋。
【請求項４】
傘袋を傘の石突のところで傘袋開口部を紐状のもので絞り留めした際、紐状のものが地面に着かないよう、紐状のものを傘袋に掛け留めする部分を有する事により、紐状のものを固定保持することを特徴とする傘袋。
【請求項５】
傘袋を捲し上げ収納する際、捲し上げた傘袋を傘袋自体を少し裏返す形で傘袋開口部を紐状のもので絞り留めすることにより、傘袋自体で傘袋を収納することを可能としたことを特徴とする傘袋。
【発明の詳細な説明】
【技術分野】
【０００１】
本発明は、傘に密着したまま傘袋の装着及び、収納保持を可能とした傘袋に関するものである。
【背景技術】
【０００２】
実用の傘袋は、雨の外出時に傘から取り外し、家に置いておいたり、バッグなどに仕舞い持ち運ぶのに軽微であり、雨が降らない時の傘の保護として、社会生活をに欠くことのできない物である。
【０００３】
また、雨が降って傘を差している外から屋内に入る場合、傘についた雨の滴防止として、使い捨てのビニール傘袋が多く設置されているので、一時的に外出途中での傘袋の装着及び、収納保持を強いられないので、実用上十分であった。
【０００４】
しかし、環境問題により、使い捨てのビニール傘袋の設置が今後減少していくと予想される状況においては、雨の日の外出先での使い捨てビニール傘袋が設置されているとは限らず、傘についた雨の滴防止を各人が心掛けて対処しなければならない。
【０００５】
また、使い捨てビニール傘袋が設置されていない電車内などの公共の乗り物内でのエチケットとして、出来る限り濡れた傘の滴を他人に付けないという配慮も社会生活においては欠かせない。
【０００６】
そうした状況において、実用の傘袋は、雨の日や雨が降りそうな日に家に置いていかれたり、外出先で雨が降った場合、傘袋を取り外してバッグや身近な何かに収納したりと、傘袋の置き場所も一定しておらず、常に傘と一緒にあるというものではないため、すぐに取り出して使用できない、という欠点があった。
【０００７】
必要なときに傘袋をすぐに取り出し傘に装着できない、という欠点は雨の日の社会生活に関しても大きな障害である。実用新案公開平６−６６３４０は、傘の収納袋と収納袋の固定器、複数のリングを使用し、傘袋をリングに沿って傘の先端の石突に向かって小さくまとめ、傘袋に収納し袋を閉じて固定器で傘の石突の先端部分又は、傘の握柄の先端部分に取り付ける、というものであり、多くの部品及び、収納や装着保持に時間がかかる、という問題と、唯一傘に取り付けた状態での収納や装着保持である傘の先端の石突部への固定器の取り付け方法では、雨天時に傘を差した状態では傘の上に位置するため傘が重くなり且つ、傘袋自体がびしょ濡れとなってしまい、少しでも傘に付いた滴を吸い取る事は不可能となる、という問題があった。
【０００８】
この改善策として、収納袋を別に必要とせずに傘袋自体が収納袋としての利用を行い、傘に傘袋が常に密着した状態となるよう傘の握柄部に傘袋を装着後密着させ、傘袋の傘への装着と収納保持を短時間で行い、収納時に雨に濡れることなく、少ない部品で傘袋を作成する方法がある。図４、５、６はこの方法による傘袋の実装形態を示すための説明図である。図４は、傘袋１に傘１１を入れ、傘の握柄９と石突１０のところを紐状のもの（握柄９側の紐状のもの３と石突１０側の紐状のもの６）を紐通し（握柄９側の紐通し２と石突１０側の紐通し５）に通して、紐留め器具（握柄９側の紐とめ器具４と石突１０側の紐留め器具７）で絞り留めし、石突１０側の紐状のもの６を掛け留め部８に掛け地面に着かないように固定した正面図である。図５は、絞り留めしていた石突１０側の紐状のもの６を掛け留め部８から外して開口し、傘袋１を握柄９まで捲し上げた正面図である。図６は、握柄９まで捲し上げた傘袋１を最後に裏返らせ、巻く仕上げた傘袋１を包み込むようにし、紐通し５に通された紐状のもの６を握柄部９に密着するように絞り、紐留め器具７で固定した正面拡大図である。
【特許文献１】実用新案公開平６−６６３４０号公報
【発明の開示】
【発明が解決しようとする課題】
【０００９】
解決しようとする問題点は、傘袋を傘袋専用収納袋に入れないと傘袋を傘に常時取り付けた状態にできない点である。
【００１０】
また、傘袋を収納した状態からの傘への装着と収納保持が、傘袋を傘に取り付けた状態でできないという不都合な点である。
【課題を解決するための手段】
【００１１】
本発明は、傘袋１を上下２つの開口部をもつ筒状のものとし、上下２つの開口部を自由に絞り留め（巾着式に閉じる）可能となるよう、上下２つの開口部に紐状のもの３又は６、紐通し２又は５、紐留め器具４又は７をそれぞれ有すことにより、傘袋１を傘１１の握柄９、石突１０に自由に絞り留めすることを可能にした。
【００１２】
また、傘１１の石突１０に絞り留めした傘袋１を開口し、傘１１の握柄９に向けて傘袋１を捲し上げられるように石突１０側開口部にスリット１２を入れた。これにより、捲し上げられた傘袋を最後に裏返し、傘の握柄９に絞り留めされている握柄９側の開口部の紐状のもの３、紐通し２、紐留め器具４に被せ、石突１０側の紐状のもの６を絞り、紐留め器具７で絞り留めし、傘袋１を傘１１に取り付けた状態で収納保持することを可能にした。
【００１３】
このようにして傘袋専用収納袋を必要とせず、常時、傘１１に傘袋１を取り付けた状態を可能とし、傘１１に傘袋１を取り付けた状態での傘袋１の装着可能及び、収納保持可能に加え、装着時の石突１０側の紐状のものが地面などに着かないよう掛け留め部８を付けたことを主要な特徴とする。
【発明の効果】
【００１４】
本発明の傘袋は、傘への装着及び、収納保持を傘に取り付けた状態で傘袋を引き伸ばしたり、捲し上げたりという簡単な動作で利用できるという利点がある。
【００１５】
特に公共の施設や乗り物などの利用時、常に傘に取り付けられている傘袋を装着する事により、濡れた傘の雨滴を他人に付けたりすることや、床を濡らし、他人が滑って怪我をすることなどをあまり気にせず利用できるので、エチケットとして社会生活にも配慮できる。
【００１６】
また、傘袋専用の収納袋は必要としない筒状の単純構造と少ない部品の為、製作費用を安くすることができるという利点がある。
【発明を実施するための最良の形態】
【００１７】
傘の傘布を巻いて閉じた未使用時の状態（傘袋に入れる状態）での傘の最も太い部分の外径にあわせて、傘袋の筒状の外径となるようにし且つ、傘の最も太い部分から石突に向かっては少し円錐形となるようにすることが無駄の無い形状である。
【００１８】
利用形態としては、雨が降っている状態で外出する際、傘の握柄９に傘袋１を収納保持して外出し、雨滴が傘１１から漏れ、他人に迷惑をかけることになりそうな公共施設や乗り物を利用する際、即座に傘袋１を傘１１に装着保持するという利用形態が望ましい。
【実施例１】
【００１９】
図４は、本発明である傘袋１に傘１１を入れ、傘の握柄９と石突１０のところを紐状のもの（握柄９側の紐状のもの３と石突１０側の紐状のもの６）を紐通し（握柄９側の紐通し２と石突１０側の紐通し５）に通して、紐留め器具（握柄９側の紐留め器具４と石突１０側の紐留め器具７）で絞り留めし石突１０側の紐状のもの６を掛け留め部８に掛け固定した状態、傘１１未使用時の正面図である。
【００２０】
石突部１０側の紐状のもの６は、傘１１未使用時に持ち歩いたり、立て掛け保管したりする場合、地面などに着いて汚れたりすることを防止するため、掛け留め部８に掛けて固定している。
【００２１】
又、傘１１未使用時に公共施設などで、手元からはなして置く場合、握柄９側の紐状のもの３にタグをつけることも可能なので、使用者を明らかにしておく事も可能である。
【実施例２】
【００２２】
図５は、本発明である傘袋を、傘１１使用時に絞り留めしていた石突１０側の紐状のもの６を掛け留め部８から外して開口し、傘袋１を握柄９まで捲し上げた状態の正面図である。
【００２３】
傘袋１の石突１０側の開口部には、捲し上げしやすいようにスリット１２を設けている。
【実施例３】
【００２４】
図６は、本発明である傘袋を、握柄９まで捲し上げて最後に裏返させ、捲し上げた傘袋１を包み込むようにし、紐通し５に通された紐状のもの６を握柄９に密着するように絞り、紐留め器具７で固定することにより、傘袋専用の収納袋を必要とせずに収納保持した正面拡大図である。
【産業上の利用可能性】
【００２５】
傘の握柄部を基本として、傘袋専用の収納袋を必要とせずに傘袋の常時簡単装着、簡単収納保持が可能で且つ、部品数が少ないということは、ムリ、ムダ、ムラを排除し経済的なので、製作者及び、利用者にとっては好都合であり、雨の日の必需品としての利用に大いに期待できる。
【００２６】
特に、環境問題の観点から、使い捨てのビニール傘袋の代用として、傘に常時取り付けている傘袋の利用可能性もおおいに期待できる。
【図面の簡単な説明】
【００２７】
【図１】傘１１に密着したまま傘袋１の装着及び、収納保持を可能とした傘袋１本体の側面図である。
【図２】傘１１に密着したまま傘袋１の装着及び、収納保持を可能とした傘袋１本体の正面図である。
【図３】傘１１に傘袋１を装着させ、石突１０側の開口部を絞り留めする前または、傘袋１を巻くし上げる前の状態の正面図である。
【図４】傘袋１に傘１１を入れ、傘１１の握柄９と石突１０のところを紐状のもの３と６を紐通し２と５にそれぞれ通して、紐留め器具４と７で絞り留めし、石突１０側の紐状のもの６を掛け留め部８に掛け、地面などに紐状のもの６を固定保持した状態の正面図である。（実施例１）
【図５】絞り留めしていた石突１０側の紐状のもの６を掛け留め部８から外して開口し、傘袋１を握柄９まで捲し上げた状態の正面図である。（実施例２）
【図６】握柄部９まで捲し上げた傘袋１を最後に裏返し、捲し上げた傘袋１を包み込むようにして、紐通し５に通した紐状のもの６を握柄部９に密着するように絞り、紐留め器具７で固定保持した状態の正面拡大図である。（実施例３）
【符号の説明】
【００２８】
１    傘袋本体袋
２    握柄側の紐通し
３    握柄側の紐状のもの
４    握柄側の紐留め器具
５    石突側の紐通し
６    石突側の紐状のもの
７    石突側の紐留め器具
８    掛け留め器具
９    傘の握柄
１０    傘の石突
１１    傘
１２    スリット
１３    傘袋の裏の部分
【図１】
2009039155.tif 000003
【図２】
2009039155.tif 000004
【図３】
2009039155.tif 000005
【図４】
2009039155.tif 000006
【図５】
2009039155.tif 000007
【図６】
2009039155.tif 000008